(57)【要約】【課題】空気調和機の遠隔操作装置において、複数台の室内機に故障が発生している場合の故障コード確認漏れを防止する。【解決手段】ステップ３０１で故障発生中室内機の室内機番号が全て選択されたかを判断し、選択されていない室内機番号が残っていない場合にのみ、ステップ５０４で点検スイッチが再度押されたことを検出するので、複数台の室内機に故障が発生している場合に一部の室内機の故障コードを確認しただけで確認を終了することができなくなる。【選択図】図３
2009257678.tif 000002
【特許請求の範囲】
【請求項１】
プログラムされたマイコンによって１対の通信線に接続された複数台の空気調和機を遠隔操作する装置であって、接続された室内機の故障コードを表示する故障コード表示手段と、前記故障コード表示手段の表示／非表示を切換える故障コード表示／非表示切換手段と、前記故障コード表示手段が表示対象としている室内機の識別番号を表示する室内機識別番号表示手段と、前記故障コード表示手段が表示対象としている室内機の識別番号を選択する室内機識別番号選択手段とを備え、故障発生時に前記故障コード表示／非表示切換手段が操作されて前記故障コード表示手段に故障コードを表示した場合は前記室内機識別番号選択手段で故障発生中室内機の識別番号が全て選択されるまでに前記故障コード表示／非表示切換手段が再度操作されても前記故障コード表示手段の故障コード表示を非表示に戻さないようにしたことを特徴とする空気調和機の遠隔操作装置。
【請求項２】
故障コード表示手段に故障コードを表示している間は故障発生中室内機の識別番号のみしか室内機識別番号選択手段で選択できないようにしたことを特徴とする請求項１に記載の空気調和機の遠隔操作装置。
【発明の詳細な説明】
【技術分野】
【０００１】
本発明は、プログラムされたマイコンによって複数台の空気調和機を遠隔操作する装置に関するものである。
【背景技術】
【０００２】
従来、この種の空気調和機の遠隔操作装置は、故障発生時に故障コード表示／非表示切換手段が操作されると故障コードを表示し、故障コード表示中に室内機識別番号選択手段が操作されると故障コード表示対象の室内機を切換え、故障コード表示／非表示切換手段が再度操作されると故障コードを非表示に戻していた（例えば、特許文献１参照）。図５は特許文献１に記載された従来の空気調和機の遠隔操作装置のマイコンが実行するプログラムの故障コード表示フローチャートを示すものである。図５において、ステップ５０１で点検スイッチが押されたことを検出するまでは、ステップ５０２に進んで故障コード非表示を継続し、ステップ５０１で点検スイッチが押されたことを検出すれば、ステップ５０３に進んで故障コードを表示する。その後、ステップ５０４で点検スイッチが再度押されたことを検出するまでは、ステップ５０５以降のステップを経てステップ５０３に進んで故障コード表示を継続し、ステップ５０４で点検スイッチが再度押されたことを検出すれば、ステップ５０２に進んで故障コードを非表示に戻す。故障コード表示継続中は、ステップ５０５で室内機番号ＵＰスイッチが押されたことを検出してステップ５０６で現在の室内機番号が最大接続可能台数（例えば１６）より小さい値であると判断できた場合にステップ５０７で室内機番号を１増加させ、ステップ５０８で室内機番号ＤＯＷＮスイッチが押されたことを検出してステップ５０９で現在の室内機番号が最小室内機番号（例えば１）より大きい値であると判断できた場合にステップ５１０で室内機番号を１減少させる。そして、室内機番号変更後にステップ５０３に進むと当該室内機番号の室内機の故障コードに表示が切換わる。
【特許文献１】特開平５−３０４６９４号公報
【発明の開示】
【発明が解決しようとする課題】
【０００３】
しかしながら、前記従来の構成では、複数台の室内機に故障が発生しているにも拘らず、一部の室内機の故障コードを確認しただけで確認を終了し、故障コードの確認漏れを発生させることがあった。
【０００４】
本発明は、前記従来の課題を解決するもので、複数台の室内機に故障が発生している場合の故障コード確認漏れを発生させない空気調和機の遠隔操作装置を提供することを目的とする。
【課題を解決するための手段】
【０００５】
前記従来の課題を解決するために、本発明の空気調和機の遠隔操作装置は、プログラムされたマイコンにより室内機識別番号選択手段で故障発生中室内機の識別番号が全て選択されるまでに故障コード表示／非表示切換手段が再度操作されても故障コード表示手段の故障コード表示を非表示に戻さないようにしたものである。
【０００６】
これによって、複数台の室内機に故障が発生している場合に一部の室内機の故障コードを確認しただけで確認を終了することができなくなり、故障コード確認漏れの発生を防止することとなる。
【発明の効果】
【０００７】
本発明の空気調和機の遠隔操作装置は、複数台の室内機に故障が発生している場合の故障コード確認漏れの発生を防止することができる。
【発明を実施するための最良の形態】
【０００８】
第１の発明は、プログラムされたマイコンによって１対の通信線に接続された複数台の空気調和機を遠隔操作する装置であって、接続された室内機の故障コードを表示する故障コード表示手段と、故障コード表示手段の表示／非表示を切換える故障コード表示／非表示切換手段と、故障コード表示手段が表示対象としている室内機の識別番号を表示する室内機識別番号表示手段と、故障コード表示手段が表示対象としている室内機の識別番号を選択する室内機識別番号選択手段とを備え、故障発生時に故障コード表示／非表示切換手段が操作されて故障コード表示手段に故障コードを表示した場合は室内機識別番号選択手段で故障発生中室内機の識別番号が全て選択されるまでに故障コード表示／非表示切換手段が再度操作されても故障コード表示手段の故障コード表示を非表示に戻さないようにしたことにより、複数台の室内機に故障が発生している場合に一部の室内機の故障コードを確認しただけで確認を終了することができなくなり、故障コード確認漏れの発生を確実に防止することができる。
【０００９】
第２の発明は、特に、第１の発明に加えて、故障コード表示手段に故障コードを表示している間は故障発生中室内機の識別番号のみしか室内機識別番号選択手段で選択できないようにしたことにより、故障発生台数に応じた必要最低限の回数で故障発生中室内機の識別番号を全て選択することが可能となり、識別番号選択操作回数の増大を抑制しつつ故障コード確認漏れの発生を確実に防止することができる。
【００１０】
以下、本発明の実施の形態について、図面を参照しながら説明する。なお、本実施の形態によって本発明が限定されるものではない。
【００１１】
（実施の形態１）
図１は、本発明の実施の形態１と２における空気調和機の遠隔操作装置を含むシステム構成図、図２は、本発明の実施の形態１と２における空気調和機の遠隔操作装置のハードウェアブロック図、図３は、本発明の実施の形態１における空気調和機の遠隔操作装置のマイコンが実行するプログラムの故障コード表示フローチャートである。
【００１２】
図１において、１はワイヤードリモコン、２Ａ〜２Ｄは室内機、３はワイヤードリモコン１と複数台の室内機２Ａ〜２Ｄを接続する１対の通信線であり、ワイヤードリモコン１は、室内機２Ａ〜２Ｄと双方向に通信を行い、運転操作や故障コード表示を行うものである。
【００１３】
図２において、４はマイコン、５はマイコンが実行するプログラム、６は室内機２Ａ〜２Ｄに発生中の故障コードを表示する故障コード表示、７は故障コード表示６の表示／非表示を切換える点検スイッチ、８は故障コード表示６が表示対象としている室内機の室内機番号を示す室内機番号表示、９は故障コード表示６が表示対象としている室内機の室内機番号を増加させる室内機番号ＵＰスイッチ、１０は故障コード表示６が表示対象としている室内機の室内機番号を減少させる室内機番号ＤＯＷＮスイッチ、１１は通信線３に接続され室内機２Ａ〜２Ｄと双方向に通信を行うための送受信回路であり、送受信回路１１からの入力により接続されている室内機２Ａ〜２Ｄの室内機番号を認識する。
【００１４】
以下、図３のフローチャートに従い図２に示すプログラム５の動作を説明する。なお、従来と同一のステップについては、同一符号を付してその詳細な説明は省略する。
【００１５】
マイコン４は、ステップ５０４で点検スイッチが再度押されたことを検出する前に、ス
テップ３０１で故障発生中室内機の室内機番号が全て選択されたかを判断し、選択されていない室内機番号が残っている場合はステップ５０４をスキップしてステップ５０５に進む。
【００１６】
以上のように、本実施の形態においては、ステップ３０１で故障発生中室内機の室内機番号が全て選択されたかを判断し、選択されていない室内機番号が残っていない場合にのみステップ５０４で点検スイッチが再度押されたことを検出するので、複数台の室内機に故障が発生している場合に一部の室内機の故障コードを確認しただけで確認を終了することができなくなり、故障コード確認漏れの発生を確実に防止することができる。
【００１７】
なお、本実施の形態において故障コード表示６が表示対象としている室内機の室内機番号を室内機番号ＵＰスイッチ９と室内機番号ＤＯＷＮスイッチ１０の２つで選択するとしているが、１つの室内機番号選択スイッチで選択しても良い。また、室内機の最大接続可能台数と最小室内機番号は一例であり、本発明を限定するものではない。
【００１８】
（実施の形態２）
図４は、本発明の実施の形態２における空気調和機の遠隔操作装置のマイコンが実行するプログラムの故障コード表示フローチャートである。
【００１９】
以下、図４のフローチャートに従い図２に示すプログラム５の動作を説明する。なお、実施の形態１と同一のステップについては、同一の符号を付してその詳細な説明は省略する。
【００２０】
マイコン４は、ステップ５０５で室内機番号ＵＰスイッチが押されたことを検出した後、ステップ４０１で現在の室内機番号を作業用室内機番号に代入する。次に、ステップ４０２で作業用室内機番号が最大接続可能台数（例えば１６）より小さい値であるかを判定し、小さい値であればステップ４０３で作業用室内機番号を１増加させ、ステップ４０４で作業用室内機番号に該当する室内機番号の室内機が故障発生中かを判定する。そして、該当する室内機番号の室内機が故障発生中の場合は、ステップ４０５に進み、作業用室内機番号を室内機番号に代入することで室内機番号を更新し、ステップ５０３で新しい室内機番号の室内機の故障コードを表示する。
【００２１】
ステップ４０４で作業用室内機番号に該当する室内機番号の室内機が故障発生中でない場合は、ステップ４０２に戻り、以降、ステップ４０２で作業用室内機番号が最大接続可能台数（例えば１６）と同じ値と判定されるか、ステップ４０４で作業用室内機番号に該当する室内機番号の室内機が故障発生中と判定されるまで、ステップ４０２からステップ４０４までを繰り返す。一方、ステップ５０８で室内機番号ＤＯＷＮスイッチが押されたことを検出した後、ステップ４０６で現在の室内機番号を作業用室内機番号に代入する。
【００２２】
次に、ステップ４０７で作業用室内機番号が最小室内機番号（例えば１）より大きい値であるかを判定し、大きい値であればステップ４０８で作業用室内機番号を１減少させ、ステップ４０９で作業用室内機番号に該当する室内機番号の室内機が故障発生中かを判定する。そして、該当する室内機番号の室内機が故障発生中の場合は、ステップ４１０に進み、作業用室内機番号を室内機番号に代入することで室内機番号を更新し、ステップ５０３で新しい室内機番号の室内機の故障コードを表示する。
【００２３】
ステップ４０９で作業用室内機番号に該当する室内機番号の室内機が故障発生中でない場合は、ステップ４０７に戻り、以降、ステップ４０７で作業用室内機番号が最小室内機番号（例えば１）と同じ値と判定されるか、ステップ４０９で作業用室内機番号に該当する室内機番号の室内機が故障発生中と判定されるまで、ステップ４０７からステップ４０
９までを繰り返す。
【００２４】
以上のように、本実施の形態においては、ステップ４０４またはステップ４０９で作業用室内機番号に該当する室内機番号の室内機が故障発生中と判断されるまでステップ４０３またはステップ４０８で作業用室内機番号が１ずつ増加または減少させるので、故障発生台数に応じた必要最低限の回数で故障発生中室内機の識別番号を全て選択することが可能となり、識別番号選択操作回数の増大を抑制しつつ故障コード確認漏れの発生を確実に防止することができる。
【産業上の利用可能性】
【００２５】
以上のように、本発明にかかる空気調和機の遠隔操作装置は、複数台の室内機に故障が発生している場合の故障コード確認漏れの発生を防止することが可能となるので、通信線を媒体としてデータ通信を行う空気調和機集中制御システムにおいて空気調和機の集中制御装置の故障コード表示等の用途にも適用できる。
【図面の簡単な説明】
【００２６】
【図１】本発明の実施の形態１と２における空気調和機の遠隔操作装置を含むシステム構成図
【図２】本発明の実施の形態１と２における空気調和機の遠隔操作装置のハードウェアブロック図
【図３】本発明の実施の形態１における空気調和機の遠隔操作装置のマイコンが実行するプログラムの故障コード表示フローチャート
【図４】本発明の実施の形態２における空気調和機の遠隔操作装置のマイコンが実行するプログラムの故障コード表示フローチャート
【図５】従来の空気調和機の遠隔操作装置のマイコンが実行するプログラムの故障コード表示フローチャート
【符号の説明】
【００２７】
１  ワイヤードリモコン
２Ａ〜２Ｄ  室内機
３  通信線
４  マイコン
５  プログラム
６  故障コード表示
７  点検スイッチ
８  室内機番号表示
９  室内機番号ＵＰスイッチ
１０  室内機番号ＤＯＷＮスイッチ
１１  送受信回路
【図１】
2009257678.tif 000003
【図２】
2009257678.tif 000004
【図３】
2009257678.tif 000005
【図４】
2009257678.tif 000006
【図５】
2009257678.tif 000007